(57)【要約】      （修正有）【課題】遠赤外線、光波エネルギー、及び磁化作用により水分子を細分化させ、水のエネルギーを高め、人体に吸収されやすくすることができる水処理装置を提供する。【解決手段】制御モジュール３と、遠赤外線作用管部材４と、光波管セット５と、磁性管部材６と、によって構成する。制御モジュールは、水進入管路２に連通し、遠赤外線作用管部材は、制御モジュールに連通し、光波管セットは、遠赤外線作用管部材に連通し、磁性管部材は、第二分水器ＳＷ２を介して、光波管セットに連通し、さらに、水排出管路８に連通する。【選択図】図１
0003173246.tif 000002
【実用新案登録請求の範囲】
【請求項１】
制御モジュールと、エネルギー管部材と、光波管セットと、磁性管部材と、によって構成する水処理装置であって、
前記制御モジュールは、水進入管路に連通し、
前記エネルギー管部材は、前記制御モジュールに連通し、
前記光波管セットは、前記エネルギー管部材に連通し、
前記磁性管部材は、第二分水器を介して、前記光波管セットに連通し、さらに、水排出管路に連通することを特徴とする、水処理装置。
【請求項２】
前記第二分水器は第一分水器に連通し、前記第一分水器はポンプに連通し、前記ポンプは、第三分水器を介して、前記光波管セットの水排出部と、流水管部材の水排出部に連結され、前記流水管部材内には、孔状遠赤外線セラミック片が設けられ、前記流水管部材には、不純物防止蓋と不純物防止管が設けられることを特徴とする、請求項１に記載の水処理装置。
【請求項３】
前記エネルギー管部材の水排出部は、まず水流量制御弁に連通し、さらに前記光波管セットの水進入部に連通することを特徴とする、請求項１に記載の水処理装置。
【請求項４】
前記制御モジュールはカルシウムイオン玉濾水管部材に連通し、前記カルシウムイオン玉濾水管部材の水排出部は、エネルギー管部材の水排出部と合流し連結されることを特徴とする、請求項１に記載の水処理装置。
【請求項５】
前記水進入管路と前記制御モジュールの間には、第一フィルター洗浄モジュールが連結され、前記光波管セットと前記第二分水器の間には、第二フィルター洗浄モジュールが連結されることを特徴とする、請求項１に記載の水処理装置。
【請求項６】
前記光波管セット内には、光波発生器によって光波エネルギーが導入され、前記光波管セットは、外管部材と、上導流管と、下導流管と、透明管と、波導管と、を備え、前記透明管は前記外管部材内部に設けられ、前記波導管は前記透明管内に設けられ、前記波導管は光波が通過し、前記上導流管は、前記外管部材の水進入部に設けられるとともに、前記エネルギー管部材の水排出部に連結され、前記下導流管は、前記外管部材の水排出部に設けられることを特徴とする、請求項１に記載の水処理装置。
【請求項７】
前記透明管は石英管であり、前記波導管は導体の金属材質であり、前記外管部材の外壁には、Ｎ極とＳ極が相互に対応している複数の強力磁石が設けられることを特徴とする、請求項６に記載の水処理装置。
【請求項８】
前記上導流管はＬ形構造であるとともに下を向けて設けられ、前記下導流管はＬ形構造であるとともに上を向けて設けられ、前記上導流管と前記下導流管はそれぞれの左右の向きが反対になるように設けられ、前記上導流管と前記外管部材が連結された一端は、前記上導流管の前記外管部材から離れた一端と同じ方向を向いた上流口を備え、前記下導流管と前記外管部材が連結された一端は、前記下導流管の前記外管部材から離れた一端と同じ方向を向いた下流口を備えることを特徴とする、請求項６に記載の水処理装置。
【請求項９】
前記制御モジュールは、第一通水管と第二通水管とからなり、前記第一通水管の水進入部は、前記水進入管路と連通し、前記第一通水管の水排出部は、前記エネルギー管部材の水進入部と連通し、前記第一通水管は上分水器と下分水器を備え、前記第二通水管は上分水器と下分水器を備え、前記第一通水管の前記上分水器と前記第二通水管の前記上分水器は、連結管によって連通され、前記第二通水管の水排出部はカルシウムイオン玉濾水管部材の水進入部に連通し、前記カルシウムイオン玉濾水管部材の水排出部と前記エネルギー管部材の水排出部は合流して連結されることを特徴とする、請求項１に記載の水処理装置。
【請求項１０】
前記エネルギー管部材内には遠赤外線材質が設けられ、前記磁性管部材内には、間隔を空けてＮ極とＮ極或いはＳ極とＳ極が相互に対応するように複数の環状磁性体が設けられることを特徴とする、請求項１に記載の水処理装置。
【考案の詳細な説明】
【技術分野】
【０００１】
本考案は水処理装置に関し、特に磁化作用と光波エネルギー処理により水を活性化させる水処理装置に関する。
【背景技術】
【０００２】
一般的な従来の水処理の方法には、フィルター濾過、蒸留、逆浸透、電子イオン処理、磁化処理等がある。その内、フィルター濾過方式は、液体中の不純物を取り除くだけであり、水分子自体には何の作用も無い。また、蒸留、及び逆浸透方式は、フィルター濾過と似ており、液体中の不純物のみを除去するにすぎない。電子イオン処理方式は、水分子に電圧をかけ、それをイオン化し、液体をアルカリ性にする。しかしながら、水分子のエネルギーを強力に高めることはできない。また、磁化処理方式は、水を磁性の管部材（磁石が設けられた）に通し、磁場の磁力線の作用により、水分子を活性化させる。しかしながら、エネルギーを大幅に高めることはできない。
【考案の概要】
【考案が解決しようとする課題】
【０００３】
本考案は、遠赤外線、光波エネルギー、及び磁化作用により水分子を細分化させ、水のエネルギーを高め、人体に吸収されやすくすることができる水処理装置を提供することを目的する。
【課題を解決するための手段】
【０００４】
上述の技術問題を解決するために、本考案による水処理装置は、制御モジュールと、エネルギー管部材と、光波管セットと、磁性管部材と、によって構成する。前記制御モジュールは、水進入管路に連通し、前記エネルギー管部材は、前記制御モジュールに連通し、前記光波管セットは、前記エネルギー管部材に連通し、磁性管部材は、第二分水器を介して、前記光波管セットに連通し、さらに、水排出管路に連通する。
【０００５】
前記第二分水器は第一分水器に連通し、前記第一分水器はポンプに連通し、前記ポンプは、第三分水器を介して、前記光波管セットの水排出部と、流水管部材の水排出部に連結され、前記流水管部材内には、孔状遠赤外線セラミック片が設けられ、前記流水管部材には、不純物防止蓋と不純物防止管が設けられる。
【０００６】
前記エネルギー管部材の水排出部は、まず水流量制御弁に連通し、さらに前記光波管セットの水進入部に連通する。
【０００７】
前記制御モジュールはカルシウムイオン玉濾水管部材に連通し、前記カルシウムイオン玉濾水管部材の水排出部は、エネルギー管部材の水排出部と合流し連結される。
【０００８】
前記水進入管路と前記制御モジュールの間には、第一フィルター洗浄モジュールが連結され、前記光波管セットと前記第二分水器の間には、第二フィルター洗浄モジュールが連結される。
【０００９】
前記光波管セット内には、光波発生器によって光波エネルギーが導入され、前記光波管セットは、外管部材と、上導流管と、下導流管と、透明管と、波導管と、を備え、前記透明管は前記外管部材内部に設けられ、前記波導管は前記透明管内に設けられ、前記波導管は光波が通過し、前記上導流管は、前記外管部材の水進入部に設けられるとともに、前記エネルギー管部材の水排出部に連結され、前記下導流管は、前記外管部材の水排出部に設けられる。
【００１０】
前記透明管は石英管であり、前記波導管は導体の金属材質であり、少なくとも金或いは銅であり、前記外管部材の外壁には、Ｎ極とＳ極が相互に対応している複数の強力磁石が設けられる。
【００１１】
前記上導流管はＬ形構造であるとともに下を向けて設けられ、前記下導流管はＬ形構造であるとともに上を向けて設けられ、前記上導流管と前記下導流管はそれぞれの左右の向きが反対になるように設けられ、前記上導流管と前記外管部材が連結された一端は、前記上導流管の前記外管部材から離れた一端と同じ方向を向いた上流口を備え、前記下導流管と前記外管部材が連結された一端は、前記下導流管の前記外管部材から離れた一端と同じ方向を向いた下流口を備える。
【００１２】
前記制御モジュールは、第一通水管と第二通水管とからなり、前記第一通水管の水進入部は、前記水進入管路と連通し、前記第一通水管の水排出部は、前記エネルギー管部材の水進入部と連通し、前記第一通水管は上分水器と下分水器を備え、前記第二通水管は上分水器と下分水器を備え、前記第一通水管の前記上分水器と前記第二通水管の前記上分水器は、連結管によって連通され、前記第二通水管の水排出部はカルシウムイオン玉濾水管部材の水進入部に連通し、前記カルシウムイオン玉濾水管部材の水排出部と前記エネルギー管部材の水排出部は合流して連結される。
【００１３】
前記エネルギー管部材内には遠赤外線材質が設けられ、遠赤外線材質は、少なくとも、セラミック石、麦飯石、鉱石、電気石の内の一つ、或いはその組合せであり、前記磁性管部材内には、間隔を空けてＮ極とＮ極或いはＳ極とＳ極が相互に対応するように複数の環状磁性体が設けられる。
【考案の効果】
【００１４】
本考案の有益な効果は以下の通りである。光波管セットは光波発生器に連通し、その波導管に光波エネルギーが生じることにより水に対して作用し、磁性管部材の磁石の磁力エネルギーも水に作用し、さらに、複数回数ループさせて作用させることにより、水分子を活性化させ、水のエネルギーを高めて、人体に吸収させやすくする効果を得ることができる。
【図面の簡単な説明】
【００１５】
【図１】本考案の水処理装置の構造を示した概略図である。
【図２】本考案の水処理装置の流水磁化処理時の状態を示した概略図である。
【図３ａ】本考案の水処理装置内の制御モジュールの構造図である。
【図３ｂ】本考案の水処理装置内の制御モジュールの一部の分解図である。
【図４ａ】本考案の水処理装置内の光波管セットの構造と外観を示した斜視図である。
【図４ｂ】本考案の水処理装置内の光波管セットの分解図である。
【図４ｃ】本考案の水処理装置内の光波管セットの水の流れを示した説明図である。
【図５】本考案の水処理装置を棚内に設けた状態を示した斜視図である。
【図６】本考案の水処理装置を棚内に設けた状態を示した部分分解図である。
【図７】本考案の水処理装置を棚内に設けた状態を示した透視図である。
【図８】本考案の水処理装置を棚内に設けた状態を示した側面図である。
【図９】本考案の水処理装置を棚内に設け、且つ制御モジュールを引き出した状態を示した側面図である。
【図１０】本考案の水処理装置を棚内に設けた状態を示した正面図である。
【図１１】本考案の水処理装置を棚内に設けた状態を示した部分配置図である。
【図１２】本考案の水処理装置を別の棚内に設けた状態を示した外観図である。
【図１３】本考案の水処理装置を別の棚内に設け、且つ制御モジュールを引き出した状態を示した外観図である。
【考案を実施するための形態】
【００１６】
本考案について、以下に、図と具体的な実施例を挙げて説明を行う。
【００１７】
（実施例１）
図１を参照する。図１は、本考案の水処理装置の構造を示した概略図である。水処理装置１は、水進入管路２と、制御モジュール３と、エネルギー管部材４と、光波管セット５と、ポンプＭと、磁性管部材６と、流水管部材７と、水排出管路８と、によって構成する。
【００１８】
図３ａと図３ｂを同時に参照する。図３ａは、本考案の水処理装置内の制御モジュールの構造図である。図３ｂは、本考案の水処理装置内の制御モジュールの一部の分解図である。制御モジュール３は、水流の流路を制御することができる（一回フィルター洗浄磁化処理、複数回数ループ処理、及び、流水磁化処理を含む）。制御モジュール３は、第一通水管３１と、第二通水管３２とからなり、第一通水管３１の水進入部は、水進入管路２と連通し、第一通水管３１の水排出部は、エネルギー管部材４の水進入部と連通する。第一通水管３１は、上分水器３１１と下分水器３１２とを備え、第二通水管３２も上分水器３２１と下分水器３２２とを備え、第一通水管３１の上分水器３１１と第二通水管３２の上分水器３２１は、連結管３３によって連通する。
【００１９】
好ましくは、水進入管路２は、まず、第一フィルター洗浄モジュール９に連通し、さらに第一通水管３１に連通し、また、第一フィルター洗浄モジュール９は複数のフィルター洗浄管部材９１（本考案では、４つを例にして説明を行うが、それに限定されるものではない）を備え、各フィルター洗浄管部材９１には、コットンフィルター、樹脂フィルター、活性炭フィルター、除菌フィルター、カーボン繊維フィルター等が採用される。なお、コットンフィルターは、液体内の泥や砂、鉄さび、虫の卵、胞子を濾過する。樹脂フィルターは、水質を軟化させ、炭酸カルシウムと炭酸マグネシウムを取り除く。活性炭フィルターは、液体中に残留する塩素（Ｃｌ）、臭気、有機毒性物質、農薬を取り除く。除菌フィルターは、大腸菌と水垢を除去する。カーボン繊維フィルターは、水の飲みごこちを更によくし、マイナスイオンを出し、水をアルカリ化する。以上から分かるように、第一フィルター洗浄モジュール９の各フィルター洗浄管部材９１を通すことにより、水の品質を向上させることができる。
【００２０】
また、第二通水管３２は、カルシウムイオン玉濾水管部材３２３の水進入部と連通し、カルシウムイオン玉濾水管部材３２３の水排出部は、エネルギー管部材４の水排出部と合流し、また、カルシウムイオン玉濾水管部材３２３は、カルシウムイオン玉３２４を採用するとともに、マイナスイオン、複合微量元素、アミノ酸を発生させ、水をアルカリ性に変える効果をもつ。
【００２１】
エネルギー管部材４の水進入部は、第一通水管３１の水排出部と連通し、エネルギー管部材４の水排出部は、水流量制御弁４１を介して、カルシウムイオン玉濾水管部材３２３の水排出部に合流するとともに、光波管セット５の上導流管５１に連結される。そして、水流量制御弁４１を制御することにより、光波管セット５に進入する水の量を調整することができる。また、エネルギー管部材４内には、遠赤外線材質４２（例えば、セラミック石、麦飯石、鉱石、電気石等）が設けられ、水に対して遠赤外線作用を及ぼす。
【００２２】
図４ａ、図４ｂ、図４ｃを同時に参照する。図４ａは、本考案の水処理装置内の光波管セットの構造と外観を示した斜視図である。図４ｂは、本考案の水処理装置内の光波管セットの分解図である。図４ｃは、本考案の水処理装置内の光波管セットの水の流れを示した説明図である。
【００２３】
光波管セット５内には、光波発生器５００によって、光波エネルギーが導入される。光波管セット５は、外管部材５０と、上導流管５１と、下導流管５２と、透明管５３と、波導管５４と、を備える。透明管５３は透明材質の管体（例えば、石英管）であり、外管部材５０の内部に設けられる。波導管５４は、導体の金属材質（例えば、金、銅等）であり、透明管５３内に設けられ、光波を通過させる。上導流管５１はＬ形構造を呈するとともに、外管部材５０の水進入部に下を向けて設けられ、さらに、カルシウムイオン玉濾水管部材３２３水排出部及びエネルギー管部材４水排出部の合流箇所に連結される。また、下導流管５２は、Ｌ形構造を呈するとともに、外管部材５０の水排出部に上を向けて設けられ、さらに、第二フィルター洗浄モジュール１０（フィルター洗浄管部材９１と同様の作用をもつフィルター洗浄管部材１０１）及び第三分水器ＳＷ３に同時に連結される。なお、上導流管５１と下導流管５２はそれぞれの左右の向きが反対になるように設けられ、上導流管５１と外管部材５０が連結された一端は、上導流管５１の外管部材５０から離れた一端と同じ方向を向いた上流口５１１を備え、下導流管５２と外管部材５０が連結された一端は、下導流管５２の外管部材５０から離れた一端と同じ方向を向いた下流口５２１を備える。この構造により、水は、外管部材５０と透明管５３の間で、渦を巻いて回転することにより、透明管５３の周りを回転し、３６０度均一に水に対して光波エネルギー処理を行うことができる。
【００２４】
外管部材５０の外壁には、複数の強力磁石（Ｎ、Ｓ極が対応して設けられているる）５５を設けるのが好ましい。それにより、水に対する光波エネルギー処理が強化される。
【００２５】
光波発生器５００は、電流が導通した時、波導管５４に適切な発振周波数が生じ、外管部材５０と透明管５３の間の水中のイオン同士が相互にぶつかり、更に、外管部材５０の外壁の強力磁石５５の磁気エネルギーと、波導管５４に生じる電磁場の相互作用、そして、回転する水分子により、荷電粒子が加速して回転し高エネルギーの細かい分子の水となる。アインシュタインのエネルギー方程式Ｅ＝ｍｃ２から、エネルギーと光速の相互変換関係が分かるように、水分子を光波と磁化で複数回数ループ（複数回数ループ処理）させることにより、水中のエネルギーを高めることができる。
【００２６】
ポンプＭの一端には、第三分水器ＳＷ３が連結され、他端には、第一分水器ＳＷ１と第二分水器ＳＷ２が同時に連結され、第一分水器ＳＷ１は連結管３３に連通し、第二分水器ＳＷ２は、磁性管部材６の水進入部と、第二フィルター洗浄モジュール１０の水排出部に同時に連通する。また、磁性管部材６の水排出部は水排出管路８に連通し、水排出管路８は、ガチョウの首状等の蛇口８０に連結され、水を出す動作が行われる。なお、第一分水器ＳＷ１によって、複数回数ループ処理を行うかどうか制御することができる。
【００２７】
磁性管部材６には、間隔を空けてＮ極とＮ極或いはＳ極とＳ極が相互に対応するように環状磁性体６１が設けられ、環状磁性体６１から生じる磁力作用により、水分子の水酸化結合角が変わり、細かい分子になり、更に水分子がきちんと配列され、密度が高くなり、水のエネルギーが高まる。このような水分子は人体に吸収されやすいため、新陳代謝を促進して慢性疾患を改善させることができる。
【００２８】
流水管部材７の水排出部は、第三分水器ＳＷ３に連結され、第三分水器ＳＷ３によって、流水磁化処理を行うか制御することができる。また、流水管部材７には、孔状遠赤外線セラミック片７１が設けられる。以上の構造より、お茶や飲み物の液体が孔状のセラミック片を通過すること、並びにポンプＭのループ作用により、液体は、遠赤外線エネルギーを吸収するとともに、磁性管部材６内の環状磁性体６１によって磁化される。
【００２９】
また、流水管部材７は、更に、不純物防止蓋７２と不純物防止管７３とを備える。不純物防止蓋７２は、ほこりや細菌等の不純物が流水管部材７内に進入するのを防ぎ、不純物防止管７３は、茶葉水や飲み物等の液体を流水管部材７に流入させる。以上の構造により、不純物の進入を防止する効果を得ることができる。
【００３０】
図５から図１１を同時に参照する。図５から図１１は、本考案の水処理装置を棚内に設けた状態を示した図である。本考案の構造は精巧且つシンプルであるため、棚１２の中に配置させることができる。また、制御モジュール３は、引っ張り出し可能な引き出し（開放式）１１に取り付けることができ、引き出し１１を引き出すことにより、制御モジュール３を外に露出させて操作がしやすくなる。
【００３１】
図１２と図１３を同時に参照する。図１２と図１３の棚１２の引き出し１１は、前述の引き出し１１と少し異なる。その違いは、図１２と図１３の棚１２の引き出し１１は密閉式である点である。前述の引き出し１１は開放式であるが、いずれの引き出しも、同様に、引き出して使用することができる。
【００３２】
図１を参照する。水処理装置１で一回フィルター洗浄磁化処理を行う際は、第一通水管３１の上分水器３１１と下分水器３１２と第二分水器ＳＷ２を開き、第一分水器ＳＷ１と第三分水器ＳＷ３を閉じる。それにより、水は、水進入管路２、第一フィルター洗浄モジュール９、制御モジュール３の第一通水管３１、エネルギー管部材４（及び水流量制御弁４１）、光波管セット５（上導流管５１、外管部材５０と透明管５３の間、下導流管５２の順番で通過する）、第二フィルター洗浄モジュール１０、磁化管６、水排出管路８、蛇口８０、の順場で通過する。また、水が制御モジュール３にある時、第二通水管３２の上分水器３２１を開けると、水の一部はカルシウムイオン玉濾水管部材３２３に流れ、さらに、エネルギー管部材４の水に合流する。以上の構造により、一回フィルター洗浄磁化処理の過程で、水は、フィルター洗浄と光波エネルギー及び磁化作用が同時に行われる。即ち、第一フィルター洗浄モジュール９を通過するフィルター洗浄作用と、エネルギー管部材４の遠赤外線材質４２による遠赤外線作用と、光波管セット５の波導管５４による光波電磁場作用及び強力磁石５５による磁化作用と、第二フィルター洗浄モジュール１０によるフィルター洗浄作用と、磁化管６の環状磁性体６１による磁化作用により、水分子が細分化され、水の品質と含まれる酸素量が向上するため、人体に吸収されやすく、慢性疾患を改善させることができる。
【００３３】
水処理装置１で複数回数ループ処理を行う際は、第一通水管３１の下分水器３１２と第二分水器ＳＷ２を閉じ、第一分水器ＳＷ１と第三分水器ＳＷ３を開く。それにより、水は、制御モジュール３の第一通水管３１の上分水器３１１、エネルギー管部材４（及び水流量制御弁４１）、光波管セット５（上導流管５１、外管部材５０と透明管５３の間、下導流管５２の順番で通過する）、ポンプＭを順番に通過し、さらに第一分水器ＳＷ１を通過して、制御モジュール３の第一通水管３１の上分水器３１１に戻って、ループを継続する。また、水が制御モジュール３にある時、第二通水管３２の上分水器３２１を開けると、水の一部はカルシウムイオン玉濾水管部材３２３に流れ、さらに、エネルギー管部材４の水に合流する。以上のように、遠赤外線作用をもつエネルギー管部材４の遠赤外線材質４２と、光波電磁場作用をもつ光波管セット５の波導管５４及び磁化作用をもつ強力磁石５５とを  複数回通過することにより、  水の品質を向上させることができる。
【００３４】
図２を参照する。図２は、本考案の水処理装置の流水磁化処理時の状態を示した概略図である。水処理装置１で流水磁化処理を行う時は、第一分水器ＳＷ１を閉じ、第二分水器ＳＷ２と第三分水器ＳＷ３を開く。それにより、水は、流水管部材７、ポンプＭ、磁性管部材６、水排出管路８、蛇口８０を順番に通過する。以上の構造により、お茶や飲み物等の液体が流水管部材７に流入した後、遠赤外線作用をもつ流水管部材７を通過し、さらに磁化作用をもつ磁性管部材６を通過することで、細かい分子に細分化され、水分子が更にきれいに配列され、密度が高くなって液体のエネルギーが向上する。このような水分子は人体に吸収されやすく、且つ新陳代謝を促進し、慢性疾患を改善することができる。
【００３５】
また、流水管部材７を、図５に示すように設けた場合、即ち、光波管セット５に近づけて設けた場合、光波電磁場作用は一定の距離（約５ｃｍ）を有するため、流水管部材７内に収容された水は、遠赤外線作用を受ける以外に、光波の電磁場作用も同時に受けることができ、それにより、高エネルギーの細かい分子の液体を形成させることができる。
【符号の説明】
【００３６】
１      水処理装置
２      水進入管路
３      制御モジュール
３１    第一通水管
３１１  上分水器
３１２  下分水器
３２    第二通水管
３２１  上分水器
３２２  下分水器
３２３  カルシウムイオン玉濾水管部材
３２４  カルシウムイオン玉
３３    連結管
４      エネルギー管部材
４１    水流量制御弁
４２    遠赤外線材質
５      光波管セット
５００  光波発生器
５０    外管部材
５１    上導流管
５１１  上流口
５２    下導流管
５２１  下流口
５３    透明管
５４    波導管
５５    強力磁石
６      磁性管部材
６１    環状磁性体
７      流水管部材
７１    孔状遠赤外線セラミック片
７２    不純物防止蓋
７３    不純物防止管
８      水排出管路
８０    蛇口
９      第一フィルター洗浄モジュール
９１    フィルター洗浄管部材
１０    第二フィルター洗浄モジュール
１０１  フィルター洗浄管部材
１１    引き出し
１２    棚
Ｍ      ポンプ
ＳＷ１  第一分水器
ＳＷ２  第二分水器
ＳＷ３  第三分水器。
【図１】
0003173246.tif 000003
【図２】
0003173246.tif 000004
【図３ａ】
0003173246.tif 000005
【図３ｂ】
0003173246.tif 000006
【図４ａ】
0003173246.tif 000007
【図４ｂ】
0003173246.tif 000008
【図４ｃ】
0003173246.tif 000009
【図５】
0003173246.tif 000010
【図６】
0003173246.tif 000011
【図７】
0003173246.tif 000012
【図８】
0003173246.tif 000013
【図９】
0003173246.tif 000014
【図１０】
0003173246.tif 000015
【図１１】
0003173246.tif 000016
【図１２】
0003173246.tif 000017
【図１３】
0003173246.tif 000018
【手続補正書】
【提出日】平成23年10月19日(2011.10.19)
【手続補正１】
【補正対象書類名】実用新案登録請求の範囲
【補正対象項目名】全文
【補正方法】変更
【補正の内容】
【実用新案登録請求の範囲】
【請求項１】
制御モジュールと、遠赤外線作用管部材と、光波管セットと、磁性管部材と、によって構成する水処理装置であって、
前記制御モジュールは、水進入管路に連通し、
前記遠赤外線作用管部材は、前記制御モジュールに連通し、
前記光波管セットは、前記遠赤外線作用管部材に連通し、
前記磁性管部材は、第二分水器を介して、前記光波管セットに連通し、さらに、水排出管路に連通することを特徴とする、水処理装置。
【請求項２】
前記第二分水器は第一分水器に連通し、前記第一分水器はポンプに連通し、前記ポンプは、第三分水器を介して、前記光波管セットの水排出部と、流水管部材の水排出部に連結され、前記流水管部材内には、孔状遠赤外線セラミック片が設けられ、前記流水管部材には、不純物防止蓋と不純物防止管が設けられることを特徴とする、請求項１に記載の水処理装置。
【請求項３】
前記遠赤外線作用管部材の水排出部は、まず水流量制御弁に連通し、さらに前記光波管セットの水進入部に連通することを特徴とする、請求項１に記載の水処理装置。
【請求項４】
前記制御モジュールはカルシウムイオン玉濾水管部材に連通し、前記カルシウムイオン玉濾水管部材の水排出部は、遠赤外線作用管部材の水排出部と合流し連結されることを特徴とする、請求項１に記載の水処理装置。
【請求項５】
前記水進入管路と前記制御モジュールの間には、第一フィルター洗浄モジュールが連結され、前記光波管セットと前記第二分水器の間には、第二フィルター洗浄モジュールが連結されることを特徴とする、請求項１に記載の水処理装置。
【請求項６】
前記光波管セット内には、光波発生器によって光波エネルギーが導入され、前記光波管セットは、外管部材と、上導流管と、下導流管と、透明管と、波導管と、を備え、前記透明管は前記外管部材内部に設けられ、前記波導管は前記透明管内に設けられ、前記波導管は光波が通過し、前記上導流管は、前記外管部材の水進入部に設けられるとともに、前記遠赤外線作用管部材の水排出部に連結され、前記下導流管は、前記外管部材の水排出部に設けられることを特徴とする、請求項１に記載の水処理装置。
【請求項７】
前記透明管は石英管であり、前記波導管は導体の金属材質であり、前記外管部材の外壁には、Ｎ極とＳ極が相互に対応している複数の強力磁石が設けられることを特徴とする、請求項６に記載の水処理装置。
【請求項８】
前記上導流管はＬ形構造であるとともに下を向けて設けられ、前記下導流管はＬ形構造であるとともに上を向けて設けられ、前記上導流管と前記下導流管はそれぞれの左右の向きが反対になるように設けられ、前記上導流管と前記外管部材が連結された一端は、前記上導流管の前記外管部材から離れた一端と同じ方向を向いた上流口を備え、前記下導流管と前記外管部材が連結された一端は、前記下導流管の前記外管部材から離れた一端と同じ方向を向いた下流口を備えることを特徴とする、請求項６に記載の水処理装置。
【請求項９】
前記制御モジュールは、第一通水管と第二通水管とからなり、前記第一通水管の水進入部は、前記水進入管路と連通し、前記第一通水管の水排出部は、前記遠赤外線作用管部材の水進入部と連通し、前記第一通水管は上分水器と下分水器を備え、前記第二通水管は上分水器と下分水器を備え、前記第一通水管の前記上分水器と前記第二通水管の前記上分水器は、連結管によって連通され、前記第二通水管の水排出部はカルシウムイオン玉濾水管部材の水進入部に連通し、前記カルシウムイオン玉濾水管部材の水排出部と前記遠赤外線作用管部材の水排出部は合流して連結されることを特徴とする、請求項１に記載の水処理装置。
【請求項１０】
前記遠赤外線作用管部材内には遠赤外線材質が設けられ、前記磁性管部材内には、間隔を空けてＮ極とＮ極或いはＳ極とＳ極が相互に対応するように複数の環状磁性体が設けられることを特徴とする、請求項１に記載の水処理装置。
【手続補正２】
【補正対象書類名】明細書
【補正対象項目名】０００４
【補正方法】変更
【補正の内容】
【０００４】
上述の技術問題を解決するために、本考案による水処理装置は、制御モジュールと、遠赤外線作用管部材と、光波管セットと、磁性管部材と、によって構成する。前記制御モジュールは、水進入管路に連通し、前記遠赤外線作用管部材は、前記制御モジュールに連通し、前記光波管セットは、前記遠赤外線作用管部材に連通し、磁性管部材は、第二分水器を介して、前記光波管セットに連通し、さらに、水排出管路に連通する。
【手続補正３】
【補正対象書類名】明細書
【補正対象項目名】０００６
【補正方法】変更
【補正の内容】
【０００６】
前記遠赤外線作用管部材の水排出部は、まず水流量制御弁に連通し、さらに前記光波管セットの水進入部に連通する。
【手続補正４】
【補正対象書類名】明細書
【補正対象項目名】０００７
【補正方法】変更
【補正の内容】
【０００７】
前記制御モジュールはカルシウムイオン玉濾水管部材に連通し、前記カルシウムイオン玉濾水管部材の水排出部は、遠赤外線作用管部材の水排出部と合流し連結される。
【手続補正５】
【補正対象書類名】明細書
【補正対象項目名】０００９
【補正方法】変更
【補正の内容】
【０００９】
前記光波管セット内には、光波発生器によって光波エネルギーが導入され、前記光波管セットは、外管部材と、上導流管と、下導流管と、透明管と、波導管と、を備え、前記透明管は前記外管部材内部に設けられ、前記波導管は前記透明管内に設けられ、前記波導管は光波が通過し、前記上導流管は、前記外管部材の水進入部に設けられるとともに、前記遠赤外線作用管部材の水排出部に連結され、前記下導流管は、前記外管部材の水排出部に設けられる。
【手続補正６】
【補正対象書類名】明細書
【補正対象項目名】００１２
【補正方法】変更
【補正の内容】
【００１２】
前記制御モジュールは、第一通水管と第二通水管とからなり、前記第一通水管の水進入部は、前記水進入管路と連通し、前記第一通水管の水排出部は、前記遠赤外線作用管部材の水進入部と連通し、前記第一通水管は上分水器と下分水器を備え、前記第二通水管は上分水器と下分水器を備え、前記第一通水管の前記上分水器と前記第二通水管の前記上分水器は、連結管によって連通され、前記第二通水管の水排出部はカルシウムイオン玉濾水管部材の水進入部に連通し、前記カルシウムイオン玉濾水管部材の水排出部と前記遠赤外線作用管部材の水排出部は合流して連結される。
【手続補正７】
【補正対象書類名】明細書
【補正対象項目名】００１３
【補正方法】変更
【補正の内容】
【００１３】
前記遠赤外線作用管部材内には遠赤外線材質が設けられ、遠赤外線材質は、少なくとも、セラミック石、麦飯石、鉱石、電気石の内の一つ、或いはその組合せであり、前記磁性管部材内には、間隔を空けてＮ極とＮ極或いはＳ極とＳ極が相互に対応するように複数の環状磁性体が設けられる。
【手続補正８】
【補正対象書類名】明細書
【補正対象項目名】００１７
【補正方法】変更
【補正の内容】
【００１７】
（実施例１）
図１を参照する。図１は、本考案の水処理装置の構造を示した概略図である。水処理装置１は、水進入管路２と、制御モジュール３と、遠赤外線作用管部材４と、光波管セット５と、ポンプＭと、磁性管部材６と、流水管部材７と、水排出管路８と、によって構成する。
【手続補正９】
【補正対象書類名】明細書
【補正対象項目名】００１８
【補正方法】変更
【補正の内容】
【００１８】
図３ａと図３ｂを同時に参照する。図３ａは、本考案の水処理装置内の制御モジュールの構造図である。図３ｂは、本考案の水処理装置内の制御モジュールの一部の分解図である。制御モジュール３は、水流の流路を制御することができる（一回フィルター洗浄磁化処理、複数回数ループ処理、及び、流水磁化処理を含む）。制御モジュール３は、第一通水管３１と、第二通水管３２とからなり、第一通水管３１の水進入部は、水進入管路２と連通し、第一通水管３１の水排出部は、遠赤外線作用管部材４の水進入部と連通する。第一通水管３１は、上分水器３１１と下分水器３１２とを備え、第二通水管３２も上分水器３２１と下分水器３２２とを備え、第一通水管３１の上分水器３１１と第二通水管３２の上分水器３２１は、連結管３３によって連通する。
【手続補正１０】
【補正対象書類名】明細書
【補正対象項目名】００２０
【補正方法】変更
【補正の内容】
【００２０】
また、第二通水管３２は、カルシウムイオン玉濾水管部材３２３の水進入部と連通し、カルシウムイオン玉濾水管部材３２３の水排出部は、遠赤外線作用管部材４の水排出部と合流し、また、カルシウムイオン玉濾水管部材３２３は、カルシウムイオン玉３２４を採用するとともに、マイナスイオン、複合微量元素、アミノ酸を発生させ、水をアルカリ性に変える効果をもつ。
【手続補正１１】
【補正対象書類名】明細書
【補正対象項目名】００２１
【補正方法】変更
【補正の内容】
【００２１】
遠赤外線作用管部材４の水進入部は、第一通水管３１の水排出部と連通し、遠赤外線作用管部材４の水排出部は、水流量制御弁４１を介して、カルシウムイオン玉濾水管部材３２３の水排出部に合流するとともに、光波管セット５の上導流管５１に連結される。そして、水流量制御弁４１を制御することにより、光波管セット５に進入する水の量を調整することができる。また、遠赤外線作用管部材４内には、遠赤外線材質４２（例えば、セラミック石、麦飯石、鉱石、電気石等）が設けられ、水に対して遠赤外線作用を及ぼす。
【手続補正１２】
【補正対象書類名】明細書
【補正対象項目名】００２３
【補正方法】変更
【補正の内容】
【００２３】
光波管セット５内には、光波発生器５００によって、光波エネルギーが導入される。光波管セット５は、外管部材５０と、上導流管５１と、下導流管５２と、透明管５３と、波導管５４と、を備える。透明管５３は透明材質の管体（例えば、石英管）であり、外管部材５０の内部に設けられる。波導管５４は、導体の金属材質（例えば、金、銅等）であり、透明管５３内に設けられ、光波を通過させる。上導流管５１はＬ形構造を呈するとともに、外管部材５０の水進入部に下を向けて設けられ、さらに、カルシウムイオン玉濾水管部材３２３水排出部及び遠赤外線作用管部材４水排出部の合流箇所に連結される。また、下導流管５２は、Ｌ形構造を呈するとともに、外管部材５０の水排出部に上を向けて設けられ、さらに、第二フィルター洗浄モジュール１０（フィルター洗浄管部材９１と同様の作用をもつフィルター洗浄管部材１０１）及び第三分水器ＳＷ３に同時に連結される。なお、上導流管５１と下導流管５２はそれぞれの左右の向きが反対になるように設けられ、上導流管５１と外管部材５０が連結された一端は、上導流管５１の外管部材５０から離れた一端と同じ方向を向いた上流口５１１を備え、下導流管５２と外管部材５０が連結された一端は、下導流管５２の外管部材５０から離れた一端と同じ方向を向いた下流口５２１を備える。この構造により、水は、外管部材５０と透明管５３の間で、渦を巻いて回転することにより、透明管５３の周りを回転し、３６０度均一に水に対して光波エネルギー処理を行うことができる。
【手続補正１３】
【補正対象書類名】明細書
【補正対象項目名】００３２
【補正方法】変更
【補正の内容】
【００３２】
図１を参照する。水処理装置１で一回フィルター洗浄磁化処理を行う際は、第一通水管３１の上分水器３１１と下分水器３１２と第二分水器ＳＷ２を開き、第一分水器ＳＷ１と第三分水器ＳＷ３を閉じる。それにより、水は、水進入管路２、第一フィルター洗浄モジュール９、制御モジュール３の第一通水管３１、遠赤外線作用管部材４（及び水流量制御弁４１）、光波管セット５（上導流管５１、外管部材５０と透明管５３の間、下導流管５２の順番で通過する）、第二フィルター洗浄モジュール１０、磁化管６、水排出管路８、蛇口８０、の順場で通過する。また、水が制御モジュール３にある時、第二通水管３２の上分水器３２１を開けると、水の一部はカルシウムイオン玉濾水管部材３２３に流れ、さらに、遠赤外線作用管部材４の水に合流する。以上の構造により、一回フィルター洗浄磁化処理の過程で、水は、フィルター洗浄と光波エネルギー及び磁化作用が同時に行われる。即ち、第一フィルター洗浄モジュール９を通過するフィルター洗浄作用と、遠赤外線作用管部材４の遠赤外線材質４１による遠赤外線作用と、光波管セット５の波導管５４による光波電磁場作用及び強力磁石５５による磁化作用と、第二フィルター洗浄モジュール１０によるフィルター洗浄作用と、磁化管６の環状磁性体６１による磁化作用により、水分子が細分化され、水の品質と含まれる酸素量が向上するため、人体に吸収されやすく、慢性疾患を改善させることができる。
【手続補正１４】
【補正対象書類名】明細書
【補正対象項目名】００３３
【補正方法】変更
【補正の内容】
【００３３】
水処理装置１で複数回数ループ処理を行う際は、第一通水管３１の下分水器３１２と第二分水器ＳＷ２を閉じ、第一分水器ＳＷ１と第三分水器ＳＷ３を開く。それにより、水は、制御モジュール３の第一通水管３１の上分水器３１１、遠赤外線作用管部材４（及び水流量制御弁４１）、光波管セット５（上導流管５１、外管部材５０と透明管５３の間、下導流管５２の順番で通過する）、ポンプＭを順番に通過し、さらに第一分水器ＳＷ１を通過して、制御モジュール３の第一通水管３１の上分水器３１１に戻って、ループを継続する。また、水が制御モジュール３にある時、第二通水管３２の上分水器３２１を開けると、水の一部はカルシウムイオン玉濾水管部材３２３に流れ、さらに、遠赤外線作用管部材４の水に合流する。以上のように、遠赤外線作用をもつ遠赤外線作用管部材４の遠赤外線材質４１と、光波電磁場作用をもつ光波管セット５の波導管５４及び磁化作用をもつ強力磁石５５とを  複数回通過することにより、  水の品質を向上させることができる。
【手続補正１５】
【補正対象書類名】明細書
【補正対象項目名】００３６
【補正方法】変更
【補正の内容】
【００３６】
１      水処理装置
２      水進入管路
３      制御モジュール
３１    第一通水管
３１１  上分水器
３１２  下分水器
３２    第二通水管
３２１  上分水器
３２２  下分水器
３２３  カルシウムイオン玉濾水管部材
３２４  カルシウムイオン玉
３３    連結管
４      遠赤外線作用管部材
４１    水流量制御弁
４２    遠赤外線材質
５      光波管セット
５００  光波発生器
５０    外管部材
５１    上導流管
５１１  上流口
５２    下導流管
５２１  下流口
５３    透明管
５４    波導管
５５    強力磁石
６      磁性管部材
６１    環状磁性体
７      流水管部材
７１    孔状遠赤外線セラミック片
７２    不純物防止蓋
７３    不純物防止管
８      水排出管路
８０    蛇口
９      第一フィルター洗浄モジュール
９１    フィルター洗浄管部材
１０    第二フィルター洗浄モジュール
１０１  フィルター洗浄管部材
１１    引き出し
１２    棚
Ｍ      ポンプ
ＳＷ１  第一分水器
ＳＷ２  第二分水器
ＳＷ３  第三分水器
【手続補正書】
【提出日】平成23年11月22日(2011.11.22)
【手続補正１】
【補正対象書類名】実用新案登録請求の範囲
【補正対象項目名】全文
【補正方法】変更
【補正の内容】
【実用新案登録請求の範囲】
【請求項１】
制御モジュールと、遠赤外線作用管部材と、光波管セットと、磁性管部材と、によって構成する水処理装置であって、
前記制御モジュールは、水進入管路に連通し、
前記遠赤外線作用管部材は、前記制御モジュールに連通し、
前記光波管セットは、前記遠赤外線作用管部材に連通し、
前記磁性管部材は、第二分水器を介して、前記光波管セットに連通し、さらに、水排出管路に連通することを特徴とする、水処理装置。
【請求項２】
前記第二分水器は第一分水器に連通し、前記第一分水器はポンプに連通し、前記ポンプは、第三分水器を介して、前記光波管セットの水排出部と、流水管部材の水排出部に連結され、前記流水管部材内には、孔状遠赤外線セラミック片が設けられ、前記流水管部材には、不純物防止蓋と不純物防止管が設けられることを特徴とする、請求項１に記載の水処理装置。
【請求項３】
前記遠赤外線作用管部材の水排出部は、まず水流量制御弁に連通し、さらに前記光波管セットの水進入部に連通することを特徴とする、請求項１に記載の水処理装置。
【請求項４】
前記制御モジュールは、サンゴ化石と真珠粉末と貝殻粉末とを高温で焼いてなるとともに水中のカルシウムイオンの濃度を高め活性化させるカルシウムイオン玉を設けたカルシウムイオン玉濾水管部材に連通し、前記カルシウムイオン玉濾水管部材の水排出部は、遠赤外線作用管部材の水排出部と合流し連結されることを特徴とする、請求項１に記載の水処理装置。
【請求項５】
前記水進入管路と前記制御モジュールの間には、第一フィルター洗浄モジュールが連結され、前記光波管セットと前記第二分水器の間には、第二フィルター洗浄モジュールが連結されることを特徴とする、請求項１に記載の水処理装置。
【請求項６】
前記光波管セット内には、光波発生器によって光波エネルギーが導入され、前記光波管セットは、外管部材と、上導流管と、下導流管と、透明管と、波導管と、を備え、前記透明管は前記外管部材内部に設けられ、前記波導管は前記透明管内に設けられ、前記波導管は光波が通過し、前記上導流管は、前記外管部材の水進入部に設けられるとともに、前記遠赤外線作用管部材の水排出部に連結され、前記下導流管は、前記外管部材の水排出部に設けられることを特徴とする、請求項１に記載の水処理装置。
【請求項７】
前記透明管は石英管であり、前記波導管は導体の金属材質であり、前記外管部材の外壁には、Ｎ極とＳ極が相互に対応している複数の強力磁石が設けられることを特徴とする、請求項６に記載の水処理装置。
【請求項８】
前記上導流管はＬ形構造であるとともに下を向けて設けられ、前記下導流管はＬ形構造であるとともに上を向けて設けられ、前記上導流管と前記下導流管はそれぞれの左右の向きが反対になるように設けられ、前記上導流管と前記外管部材が連結された一端は、前記上導流管の前記外管部材から離れた一端と同じ方向を向いた上流口を備え、前記下導流管と前記外管部材が連結された一端は、前記下導流管の前記外管部材から離れた一端と同じ方向を向いた下流口を備えることを特徴とする、請求項６に記載の水処理装置。
【請求項９】
前記制御モジュールは、第一通水管と第二通水管とからなり、前記第一通水管の水進入部は、前記水進入管路と連通し、前記第一通水管の水排出部は、前記遠赤外線作用管部材の水進入部と連通し、前記第一通水管は上分水器と下分水器を備え、前記第二通水管は上分水器と下分水器を備え、前記第一通水管の前記上分水器と前記第二通水管の前記上分水器は、連結管によって連通され、前記第二通水管の水排出部は、サンゴ化石と真珠粉末と貝殻粉末とを高温で焼いてなるとともに水中のカルシウムイオンの濃度を高め活性化させるカルシウムイオン玉を設けたカルシウムイオン玉濾水管部材の水進入部に連通し、前記カルシウムイオン玉濾水管部材の水排出部と前記遠赤外線作用管部材の水排出部は合流して連結されることを特徴とする、請求項１に記載の水処理装置。
【請求項１０】
前記遠赤外線作用管部材内には遠赤外線材質が設けられ、前記磁性管部材内には、間隔を空けてＮ極とＮ極或いはＳ極とＳ極が相互に対応するように複数の環状磁性体が設けられることを特徴とする、請求項１に記載の水処理装置。